(57)【要約】【課題】課題は、照明器具の軽量化及びメンテナンス性の向上が図れる、照明システムを提供することである。【解決手段】照明システム１０であって、トンネルに設置され、トンネルの内部を照らす複数の照明器具２０と、複数の照明器具２０を制御する制御装置３０と、を備える。複数の照明器具２０の少なくとも一つは、光源部２３と、光ファイバ２４と、を含む。光ファイバ２４は、励起光によって励起され励起光よりも長波長の自然放出光を発生可能であり、かつ、自然放射増幅光によって励起可能な波長変換要素を含む波長変換部２４ｃを有する。光源部２３は、励起光を光ファイバ２４に入射させる第１光源２３１と、励起光あるいは自然放射増幅光によって励起された波長変換要素から誘導放出光を発生させるためのシード光を、光ファイバ２４に入射させる１以上の第２光源２３２と、を有する。【選択図】図２
2022002180.tif 000002
【特許請求の範囲】
【請求項１】
トンネルに設置され、前記トンネルの内部を照らす複数の照明器具と、
前記複数の照明器具を制御する制御装置と、
を備え、
前記複数の照明器具の少なくとも一つは、光源部と、光ファイバと、を含み、
前記光ファイバは、励起光によって励起され前記励起光よりも長波長の自然放出光を発生可能であり、かつ、自然放射増幅光によって励起可能な波長変換要素を含む波長変換部を有し、
前記光源部は、
前記励起光を前記光ファイバに入射させる第１光源と、
前記励起光あるいは前記自然放射増幅光によって励起された前記波長変換要素から誘導放出光を発生させるためのシード光を、前記光ファイバに入射させる１以上の第２光源と、
を有する、
照明システム。
【請求項２】
前記制御装置は、
前記複数の照明器具から出力される光の強度を制御する調光部と、
前記複数の照明器具から出力される光の色を制御する調色部と、
の少なくとも一方を有する、
請求項１の照明システム。
【請求項３】
前記制御装置は、前記トンネルの周囲の環境に関する環境情報に基づいて前記複数の照明器具を制御する、
請求項１又は２の照明システム。
【請求項４】
前記環境情報は、前記トンネルの周囲の環境を検出する１以上の環境センサを含む環境検出部から得られる、
請求項３の照明システム。
【請求項５】
前記環境検出部は、
前記トンネルの外部に設置されて前記トンネルの入口の周囲の環境を検出する第１環境センサと、
前記トンネルの外部に設置されて前記トンネルの出口の周囲の環境を検出する第２環境センサと、
の少なくとも一方を含む、
請求項４の照明システム。
【請求項６】
前記環境検出部は、前記第１環境センサと前記第２環境センサとを含み、
前記複数の照明器具は、
前記第１環境センサに対応付けられた１以上の第１照明器具と、
前記第２環境センサに対応付けられた前記１以上の第１照明器具とは別の１以上の第２照明器具と、
を含み、
前記制御装置は、
前記第１環境センサからの環境情報に基づいて前記１以上の第１照明器具を制御し、
前記第２環境センサからの環境情報に基づいて前記１以上の第２照明器具を制御する、
請求項５の照明システム。
【請求項７】
前記環境情報は、前記トンネルの周囲の明るさに関する明るさ情報と、前記トンネルの周囲の色度に関する色度情報と、前記トンネルの周囲の気象に関する気象情報との少なくとも一つを含む、
請求項３〜６のいずれか一つの照明システム。
【請求項８】
前記制御装置は、前記環境情報に基づいて、前記光源部の前記第１光源と前記１以上の第２光源との少なくとも一つの出力を調整することで前記複数の照明器具の制御をする、
請求項７の照明システム。
【請求項９】
前記制御装置は、前記環境情報に基づいて、前記トンネルの内部の明るさと色度との少なくとも一方が前記トンネルの杭口から中央に向かって変化するように、前記複数の照明器具を制御する、
請求項７又は８のいずれか一つの照明システム。
【請求項１０】
前記制御装置は、前記トンネルの杭口での視認性が向上するように、前記複数の照明器具を制御する、
請求項９の照明システム。
【請求項１１】
前記光源部は、前記トンネルの内部に露出しないように前記トンネルに設置される、
請求項１〜１０のいずれか一つの照明システム。
【請求項１２】
前記複数の照明器具の少なくとも一つは、
前記光源部と、
複数の前記光ファイバと、
前記複数の光ファイバからの光で前記トンネルの内部を照らす複数の光照射部と、
を含む、
請求項１〜１１のいずれか一つの照明システム。
【請求項１３】
前記複数の光照射部の各々には、前記複数の光ファイバからの光の総量に対して光照射部が受け取る光の量の比率が設定され、
前記複数の光照射部は、前記比率が異なる２以上の光照射部を含む、
請求項１２の照明システム。
【請求項１４】
前記比率は、前記複数の光ファイバの数の比率で決定される、
請求項１３の照明システム。
【請求項１５】
トンネルに設置され、前記トンネルの内部を照らす複数の照明器具と、
前記複数の照明器具を制御する制御装置と、
を備え、
前記複数の照明器具の少なくとも一つは、光源部と、光ファイバと、を含み、
前記光ファイバは、前記光ファイバに入射した光の少なくとも一部の波長を変換する波長変換要素を含む波長変換部を有し、
前記光源部は、
第１光を前記光ファイバに入射させる第１光源と、
前記第１光と波長が異なる第２光を前記光ファイバに入射させる１以上の第２光源と、
を有する、
照明システム。
【発明の詳細な説明】
【技術分野】
【０００１】
本開示は、一般に、照明システムに関する。本開示は、特に、トンネルの内部を照らす照明システムに関する。
【背景技術】
【０００２】
特許文献１は、自動車道路のトンネル入口照明に用いられる照明制御システム（照明システム）を開示する。特許文献１の照明制御システムは、調光レベルが可変である複数の照明器具と、照明器具を調光制御する制御装置と、トンネル坑口周囲の輝度を計測する計測装置と、を備える。
【先行技術文献】
【特許文献】
【０００３】
【特許文献１】特開２０１５−２０４１５０号公報
【発明の概要】
【発明が解決しようとする課題】
【０００４】
特許文献１では、照明器具は、トンネルの天井部又は隅角部に、車両走行方向に沿って所定間隔で配置される。そのため、照明器具は軽量であるほうが好ましい。また、照明器具が天井部又は隅角部にあるため、メンテナンス（特に光源のメンテナンス）に手間がかかる。
【０００５】
課題は、照明器具の軽量化及びメンテナンス性の向上が図れる、照明システムを提供することである。
【課題を解決するための手段】
【０００６】
本開示の一態様の照明システムは、トンネルに設置され、前記トンネルの内部を照らす複数の照明器具と、前記複数の照明器具を制御する制御装置と、を備える。前記複数の照明器具の少なくとも一つは、光源部と、光ファイバと、を含む。前記光ファイバは、励起光によって励起され前記励起光よりも長波長の自然放出光を発生可能であり、かつ、自然放射増幅光によって励起可能な波長変換要素を含む波長変換部を有する。前記光源部は、前記励起光を前記光ファイバに入射させる第１光源と、前記励起光あるいは前記自然放射増幅光によって励起された前記波長変換要素から誘導放出光を発生させるためのシード光を、前記光ファイバに入射させる１以上の第２光源と、を有する。
【０００７】
本開示の一態様の照明システムは、トンネルに設置され、前記トンネルの内部を照らす複数の照明器具と、前記複数の照明器具を制御する制御装置と、を備える。前記複数の照明器具の少なくとも一つは、光源部と、光ファイバと、を含む。前記光ファイバは、前記光ファイバに入射した光の少なくとも一部の波長を変換する波長変換要素を含む波長変換部を有する。前記光源部は、第１光を前記光ファイバに入射させる第１光源と、前記第１光と波長が異なる第２光を前記光ファイバに入射させる１以上の第２光源と、を有する。
【発明の効果】
【０００８】
本開示の態様によれば、照明器具の軽量化及びメンテナンス性の向上が図れる、という利点がある。
【図面の簡単な説明】
【０００９】
【図１】図１は、一実施形態の照明システムの説明図である。
【図２】図２は、上記照明システムのブロック図である。
【図３】図３は、上記照明システムにおける光ファイバの断面図である。
【図４】図４は、上記照明システムの動作原理の説明図である。
【図５】図５は、上記照明システムの動作原理の説明図である。
【図６】図６は、上記照明システムの動作原理の説明図である。
【図７】図７は、上記照明システムの動作の説明図である。
【図８】図８は、一変形例の照明システムの照明器具のブロック図である。
【発明を実施するための形態】
【００１０】
以下、場合によって図面を参照しながら、本開示の実施形態について説明する。ただし、以下の実施形態は、本開示を説明するための例示であり、本開示を以下の内容に限定する趣旨ではない。上下左右等の位置関係は、特に断らない限り、図面に示す位置関係に基づくものとする。以下の実施形態において説明する各図は、模式的な図であり、各図中の各構成要素の大きさ及び厚さそれぞれの比が、必ずしも実際の寸法比を反映しているとは限らない。また、各要素の寸法比率は図面に図示された比率に限られるものではない。
【００１１】
（１）実施形態
（１−１）概要
図１は、照明システム１０が適用されるトンネル１００を示す。照明システム１０は、トンネル１００の内部１１０を照らすために用いられる。
【００１２】
トンネル１００は、本実施形態では、道路のトンネルである。トンネル１００は、内部１１０に通じる出入口（杭口）を有している。本実施形態では、自動車３００を基準とし、自動車３００がトンネル１００の内部１１０に入る杭口を入口１２０とし、自動車３００がトンネル１００の内部１１０から出る杭口を出口１３０とする（図７参照）。
【００１３】
図２に示すように、照明システム１０は、トンネル１００に設置され、トンネル１００の内部１１０を照らす複数の照明器具２０と、複数の照明器具２０を制御する制御装置３０と、を備える。複数の照明器具２０の少なくとも一つは、光源部２３と、光ファイバ２４と、を含む。光ファイバ２４は、励起光Ｐ１（図３参照）によって励起され励起光Ｐ１よりも長波長の自然放出光を発生可能であり、かつ、自然放射増幅光によって励起可能な波長変換要素を含む波長変換部２４ｃを有する。光源部２３は、第１光源２３１と、１以上の第２光源２３２と、を有する。第１光源２３１は、励起光Ｐ１を光ファイバ２４に入射させる。１以上の第２光源２３２は、励起光Ｐ１あるいは自然放射増幅光によって励起された波長変換要素から誘導放出光を発生させるためのシード光Ｐ２（図３参照）を、光ファイバ２４に入射させる。
【００１４】
照明システム１０では、光ファイバ２４によって、光の波長変換が行われる。照明システム１０では、発熱源となる波長変換要素が光ファイバ２４に分散されているので、使用時の温度上昇を抑制できる。そのため、放熱部材等の省略又は軽量化が図れ、照明器具２０の軽量化が図れる。照明システム１０では、光ファイバ２４によって、光源部２３からの光を導くことが可能である。そのため、光源部２３を、トンネル１００の天井等よりもメンテナンスのしやすい場所に設置することが可能となる。更に、光源部２３自体をトンネル１００の天井等に設置しなくて済み、照明器具２０においてトンネル１００の天井等に設置する部分の軽量化が図れる。したがって、照明システム１０によれば、照明器具２０の軽量化及びメンテナンス性の向上が図れる。
【００１５】
（１−２）詳細
以下、本実施形態の照明システム１０について、図面を参照して更に詳細に説明する。照明システム１０は、図１に示すように、トンネル１００の内部１１０を照らすために用いられる。
【００１６】
照明システム１０は、図２に示すように、複数の照明器具２０と、制御装置３０と、環境検出部４０と、を備える。本実施形態では、複数の照明器具２０はいずれも同じ構造を有している。以下の説明では、説明の簡略化のために、図６に示すように、照明システム１０が６つの照明器具２０（２０ａ〜２０ｆ）を有しているとする。照明器具２０ａ〜２０ｆは、トンネル１００の内部１１０において、入口１２０から出口１３０まで、この順番に並んでいる。ただし、多くの場合、トンネル１００の内部１１０には、照明器具２０は左右二列に設けられる（図１参照）。
【００１７】
（１−２−１）照明器具
照明器具２０は、光源ユニット２１と、光照射部２２と、を備える。
【００１８】
光源ユニット２１は、図３に示すように、励起光Ｐ１と、シード光Ｐ２と、を入射させる。励起光Ｐ１は、光ファイバ２４に添加される波長変換要素（元素）を励起するための光である。シード光Ｐ２は、励起光Ｐ１によって励起された波長変換要素から誘導放出光Ｐ３（図６参照）を発生させるための光である。光ファイバ２４からは、励起光Ｐ１と誘導放出光Ｐ３とを含む光Ｌ１が出射される。図４〜図６は、発光システム１の動作原理の説明図である。図４、図５及び図６の縦軸は、電子エネルギである。また、図４の上向きの矢印は、励起光Ｐ１の吸収を示している。また、図６の下向きの矢印は、自然放出光あるいは誘導放出光Ｐ３に関する遷移を示している。光源ユニット２１では、光ファイバ２４に入射した励起光Ｐ１によって、波長変換要素の基底準位Ｅ０（複数のエネルギ準位を含む）にあった電子ｅ−が励起準位Ｅ２に励起される。そして、励起準位Ｅ２の電子ｅ−が励起準位Ｅ２よりもエネルギの低い準安定準位Ｅ１に遷移する。シード光Ｐ２（Ｐ２２）は、例えば準安定準位Ｅ１と基底準位Ｅ０の複数のエネルギ準位のうち上位のエネルギ準位とのエネルギ差に相当する波長を有する。このシード光Ｐ２（Ｐ２２）によって準安定準位Ｅ１の電子ｅ−が基底準位Ｅ０の複数のエネルギ準位のうち上位のエネルギ準位に遷移するときに誘導放出光Ｐ３（Ｐ３２）が発生する。シード光Ｐ２（Ｐ２１）は、準安定準位Ｅ１と準安定準位Ｅ１よりも低い別のエネルギ準位とのエネルギ差に相当する波長を有する。このシード光Ｐ２（Ｐ２１）によって準安定準位Ｅ１の電子ｅ−が当該別のエネルギ準位に遷移するときにも、誘導放出光Ｐ３（Ｐ３１）が発生する。
【００１９】
光源ユニット２１は、光源部２３と、光ファイバ２４と、を備える。光源部２３は、第１光源２３１と、第２光源２３２と、を備える。第１光源２３１は、第１光（励起光）Ｐ１を光ファイバ２４に入射させる。第２光源２３２は、第１光Ｐ１と波長が異なる第２光（シード光）Ｐ２を光ファイバ２４に入射させる。詳しくは、第２光源２３２は、励起光Ｐ１によって励起された波長変換要素から、誘導放出光Ｐ３を発生させるためのシード光Ｐ２（以下、外部シード光Ｐ２ともいう）を、光ファイバ２４に入射させる。
【００２０】
光ファイバ２は、図３に示すように、コア２４１と、クラッド２４２と、被覆部２４３と、を有する。クラッド２４２は、コア２４１の外周面を覆っている。被覆部２４３は、クラッド２４２の外周面を覆っている。コア２４１に関し、光軸方向に直交する断面形状は、円形状である。クラッド２４２は、コア２４１と同軸状に配置されている。
【００２１】
コア２４１は、第１端面と、コア２４１の長さ方向において第１端面とは反対側の第２端面と、を有する。コア２４１は、透光性材料と、波長変換要素（元素）と、を含む。コア２４１における波長変換要素の濃度は、コア２４１の全長に亘って略均一であってもよいし、均一でなくてもよい。コア２４１の屈折率は、コア２４１の主成分である上述の透光性材料の屈折率と略同じである。
【００２２】
透光性材料は、例えば、フッ化物、酸化物、又は窒化物のいずれかである。フッ化物は、例えば、フッ化物ガラスである。酸化物は、例えば、酸化ケイ素、石英等である。
【００２３】
波長変換要素は、希土類元素である。ここにおいて、波長変換要素は、例えば、Ｐｒ、Ｔｂ、Ｈｏ、Ｄｙ、Ｅｒ、Ｅｕ、Ｎｄ及びＭｎの群から選択される元素を含む。波長変換要素は、希土類元素のイオンとしてコア２４１に含有されており、例えば、Ｐｒのイオン（Ｐｒ３＋）、Ｔｂのイオン（Ｔｂ３＋）として含有されている。ここにおいて、波長変換要素は、励起光Ｐ１によって励起されるか、あるいは自身とは別の波長変換要素から発せられた自然放出光を内部シード光として増幅された光、すなわち自然放射増幅光（ＡＳＥ）によって励起されてもよい。このような励起を介して、波長変換要素は、波長変換要素の元素特有のＡＳＥを放出し、併せて外部シード光Ｐ２の波長と同じ波長の誘導放出光を発生し、これらを合わせて誘導放出光Ｐ３として放出する。ＡＳＥ及び外部シード光Ｐ２の波長は、励起光Ｐ１の波長（例えば、４４０〜４５０ｎｍ）よりも長波長である。シード光Ｐ２の波長については、後述する。
【００２４】
Ｐｒ３＋はシアン〜赤色の範囲でＡＳＥあるいはシード光の増幅光を放出できる波長変換要素である。誘導放出光の強度は、内部シード光（自然放出光）及び外部シード光の強さに依存する。コア２４１がＰｒ３＋とＴｂ３＋を含有している場合、Ｔｂ３＋は、Ｐｒ３＋からのＡＳＥを吸収して励起され、Ｔｂ３＋特有の波長のＡＳＥを発生することもできる。
【００２５】
クラッド２４２の屈折率は、コア２４１の屈折率よりも小さい。クラッド２４２は、コア２４１の含有している波長変換要素を含まない。
【００２６】
被覆部２４３は、クラッド２４２の外周面を覆っている。被覆部２４３の材料は、例えば、樹脂である。
【００２７】
光ファイバ２４は、入射部２４ａと、出射部２４ｂと、波長変換部２４ｃと、を有する。
【００２８】
入射部２４ａは、励起光Ｐ１が入射する部分であり、例えば、コア２４１の第１端面を含む。出射部２４ｂは、励起光Ｐ１と、ＡＳＥを含む誘導放出光Ｐ３と、を含む光Ｌ１が出射するコア２４１の第２端面を含む。
【００２９】
入射部２４ａは、光ファイバ２４の外部から入射部２４ａに入射する励起光Ｐ１の反射を低減する反射低減部を含んでいてもよい。反射低減部は、例えば、コア２４１の第１端面を覆うアンチリフレクションコートであってもよい。波長７００ｎｍ以上の深赤外域の光に対しては無反射コートがあることが望ましい。
【００３０】
波長変換部２４ｃは、入射部２４ａと出射部２４ｂとの間に設けられている。波長変換部２４ｃは、励起光Ｐ１によって励起され励起光Ｐ１よりも長波長の光を放射する波長変換要素を含む。波長変換要素は、励起光Ｐ１を吸収して励起光Ｐ１よりも長波長の自然放出光又はシード光を誘導放出によって増幅することができる元素である。つまり、波長変換部２４ｃは、光ファイバ２４に入射した光の少なくとも一部の波長を変換する波長変換要素を含む。
【００３１】
コア２４１の直径は、例えば、２５μｍ〜５００μｍである。光ファイバ２４の長さは、例えば、３ｍ〜１０ｍである。波長変換部２４ｃの長さについては、波長変換部２４ｃにおける波長変換要素の濃度が低いほど長いほうが好ましい。光ファイバ２４の開口数は、例えば、０．２２である。波長変換部２４ｃにおける波長変換要素の濃度は、コア２４１における波長変換要素の濃度である。
【００３２】
第１光源２３１は、光ファイバ２４の波長変換部２４ｃに含まれる波長変換要素を励起するための励起光Ｐ１を出射する。第１光源２３１から出射された励起光Ｐ１は、光ファイバ２４の入射部２４ａへ入射される。波長変換要素をより効率的に励起する観点から、励起光Ｐ１の波長は、３５０ｎｍ以上５００ｎｍ以下であるのが好ましい。
【００３３】
第１光源２３１は、例えば、レーザ光源を含む。レーザ光源は、レーザ光を出射する。第１光源２３１から出射された励起光Ｐ１（レーザ光源から出射したレーザ光）は、入射部２４ａへ入射される。レーザ光源は、例えば、青色のレーザ光を出射する半導体レーザである。この場合、励起光Ｐ１は、例えば、４４０〜４５０ｎｍである。第１光源２３１は、レーザ光源を駆動する駆動回路を含み、励起光Ｐ１の強度を調整可能である。
【００３４】
第２光源２３２は、シード光Ｐ２を出射する。第２光源２３２から出射されたシード光Ｐ２は、光ファイバ２の入射部２４ａへ入射される。第２光源２３２は、例えば、レーザ光源を含む。レーザ光源は、レーザ光を出射する。第２光源２３２から出射されたシード光Ｐ２（レーザ光源から出射したレーザ光）は、入射部２４ａへ入射される。第２光源２３２は、レーザ光源を駆動する駆動回路を含み、シード光Ｐ２の強度を調整可能である。
【００３５】
光源部２３は、複数（例えば、２つ）の第２光源２３２を備える。２つの第２光源２３２は、例えば、互いに波長の異なる一の波長のシード光Ｐ２を出射する。以下では、説明の便宜上、２つの第２光源２３２のうち１つの第２光源２３２を第２光源２３２ａと称し、残りの１つの第２光源２３２を第２光源２３２ｂと称することもある。第２光源２３２ａでは、レーザ光源は、例えば、緑色の光を出射する半導体レーザである。また、第２光源２３２ｂでは、レーザ光源は、例えば、赤色の光を出射する半導体レーザである。波長変換部２４ｃの波長変換要素がＰｒ３＋を含む場合、緑色のシード光Ｐ２１の波長は、例えば約５２０ｎｍであり、赤色のシード光Ｐ２２の波長は、例えば約６４０ｎｍであるのが好ましい。各第２光源２３２は、準単色光を放射する光源である。ここにおいて、準単色光とは、狭い波長範囲（例えば、１０ｎｍ）に含まれる光である。発光システム１における第２光源２３２の数は、２つに限らず、３つ以上でもよいし、１つでもよい。発光システム１は、第２光源２３２を３つ備える場合、３つの第２光源２３２として、緑色の光を出射する半導体レーザと、赤色の光を出射する半導体レーザと、オレンジ色の光を出射する半導体レーザと、を備えていてもよい。オレンジ色のシード光の波長は、例えば約６００ｎｍであるのが好ましい。
【００３６】
第２光源２３２ａから出射した光は、シード光Ｐ２（Ｐ２１）として、光ファイバ２４の入射部２４ａに入射される。また、第２光源２３２ｂから出射した光は、シード光Ｐ２（Ｐ２２）として、光ファイバ２４の入射部２４ａに入射される。
【００３７】
以上述べた光源ユニット２１では、第１光源２３１から励起光Ｐ１を出射させ、かつ、第２光源２３２からシード光Ｐ２を出射させる。これにより、励起光Ｐ１及びシード光Ｐ２を光ファイバ２４の入射部２４ａに入射させる。入射部２４ａに入射した励起光Ｐ１の一部は、出射部２４ｂから出射される。光ファイバ２４の出射部２４ｂから出射される光Ｌ１は、励起光Ｐ１と、波長変換要素から発生する波長約４８０ｎｍのＡＳＥ、及びシード光Ｐ２の波長と同じ波長の誘導放出光Ｐ３と、の混色光である。複数のシード光Ｐ２１，Ｐ２２に一対一に対応し互いに波長の異なる２種類の誘導放出光Ｐ３は、例えば、緑色光と、赤色光と、である。この場合、混色光は、例えば、白色光である。なお、図６において下側の誘導放出光Ｐ３１が、緑色光であり、上側の誘導放出光Ｐ３２が赤色光である。
【００３８】
光ファイバ２４では、自然放出光とシード光Ｐ２により誘導放出が生じるので、入射部２４ａに入射した励起光Ｐ１と、誘導放出により増幅された誘導放出光Ｐ３とが出射部２４ｂから出射する。光ファイバ２４の出射部２４ｂから出射される光のうちシード光Ｐ２１の波長と同じ波長の誘導放出光Ｐ３の強度は、第２光源２３２ａから入射部２４ａに入射させるシード光Ｐ２１の強度よりも大きい。また、光ファイバ２４の出射部２４ｂから出射される光のうちシード光Ｐ２２の波長と同じ波長の誘導放出光Ｐ３の強度は、第２光源２３２ｂから入射部２４ａに入射させるシード光Ｐ２２の強度よりも大きい。光ファイバ２４の出射部２４ｂから出射される混色光（光Ｌ１）は、インコヒーレント光である。光源ユニット２１では、光ファイバ２４の入射部２４ａから出射部２４ｂに近づくにつれて誘導放出光Ｐ３が増加、又は減少する。光源ユニット２１では、ＡＳＥの波長とシード光Ｐ２の波長とに応じて、照明器具２０から出射される光（照明光）の色度、色温度、演色性等が決まる。なお、光源ユニット２１の動作は、レーザ発振するファイバレーザの動作とは異なる。
【００３９】
光源ユニット２１では、発熱源となる波長変換要素が光ファイバ２４のコア２４１に分散されているので、使用時の温度上昇を抑制できる。
【００４０】
光照射部２２は、光ファイバ２４からの光Ｌ１によって、内部１１０を照らすために用いられる。光照射部２２は、光ファイバ２４からの光Ｌ１を、照射光として内部１１０に供給するための光学系を含む。光学系は、１以上の光学部材を含む。光学部材の例としては、反射板及びレンズが挙げられる。光照射部２２自体は光源を有しておらず、光源ユニット２１からの光Ｌ１を、内部１１０に向けて照射する機能を有している。本実施形態では、光照射部２２は、光学系を収容し、内部１１０の天井に設置される筐体を更に備える。筐体は、従来周知のトンネル照明の筐体と同様の構造を有し得る。
【００４１】
照明器具２０は、光源ユニット２１と、光照射部２２と、を備え、光源ユニット２１は、光源部２３と、光ファイバ２４と、を備える。そのため、照明器具２０では、光ファイバ２４を利用して、光源部２３と光照射部２２とを異なる場所に配置することが可能となる。本実施形態では、図７に示すように、光照射部２２は、トンネル１００の内部１１０に露出するように設置される。図７に示す例では、光照射部２２は、トンネル１００の内部１１０の天井に設置される。光源部２３は、トンネル１００の内部１１０に露出しないように設置される。図７に示す例では、光源部２３は、光照射部２２より下方に設置される。特に、光源部２３は、トンネル１００の内部１１０において、地面（路面）近傍にある。光源部２３は、人がはしご等の設備を使用することなく設置可能な位置にある。これによって、光源部２３のメンテナンス性の向上が図れる。光ファイバ２４は、光源部２３と光照射部２２とをつなぐようにトンネル１００に設置される。
【００４２】
（１−２−２）環境検出部
環境検出部４０は、環境情報を、制御装置３０に提供する。環境情報は、トンネル１００の周囲の環境に関する情報である。トンネル１００の周囲は、本実施形態では、トンネル１００の内部１１０の視認性に影響のある範囲を想定している。環境は、視認性に影響のある状況を想定している。視認性に影響のある状況としては、明るさ、色度、気象が挙げられる。本実施形態では、環境情報は、トンネル１００の周囲の明るさに関する明るさ情報と、トンネル１００の周囲の色度に関する色度情報と、トンネル１００の周囲の気象に関する気象情報とを含む。
【００４３】
環境検出部４０は、トンネル１００の周囲の環境を検出する複数の環境センサ（第１環境センサ４１及び第２環境センサ４２）を含む。第１環境センサ４１は、トンネル１００の外部に設置されてトンネル１００の入口１２０の周囲の環境を検出する（図７参照）。つまり、第１環境センサ４１は、トンネル１００の入口１２０に関する環境情報（以下、必要に応じて第１環境情報という）を取得する。第２環境センサ４２は、トンネル１００の外部に設置されてトンネル１００の出口１３０の周囲の環境を検出する（図７参照）。つまり、第２環境センサ４２は、トンネル１００の出口１３０に関する環境情報（以下、必要に応じて第２環境情報という）を取得する。第１環境センサ４１及び第２環境センサ４２の各々は、照度計、測色計（分光測色計等）、及び、視程計を含む。照度計は、トンネル１００の周囲の明るさの指標として照度を検出する。照度計により、明るさ情報が得られる。測色計は、トンネル１００の周囲の色（色度）を検出する。測色計により、色度情報が得られる。視程計は、トンネル１００の周囲の気象に関する指標として、視程を検出する。視程は、大気の混濁度を示す尺度であり、一般に、水平方向での見通せる距離である。視程計としては、透過率を視程に換算する透過率計と、散乱光の状態を視程に換算する散乱式視程計とが挙げられる。トンネル１００の周囲における雪や霧、煙の発生は、視程の減少の一因となる。したがって、視程は、気象に関連する指標である。よって、視程計から、気象情報が得られる。したがって、第１環境センサ４１からの環境情報と、第２環境センサ４２からの環境情報とは、いずれも、明るさ情報と、色度情報と、気象情報とを含む。
【００４４】
本実施形態では、照明器具２０ａ〜２０ｃは、第１環境センサ４１に対応付けられており、照明器具２０ｄ〜２０ｆは、第２環境センサ４２に対応付けられている。照明器具２０ａ〜２０ｃは、トンネル１００の入口１２０側の照明器具２０であり、照明器具２０ｄ〜２０ｆは、トンネル１００の出口１３０側の照明器具２０である。つまり、複数の照明器具２０は、第１環境センサ４１に対応付けられた１以上（本実施形態では、複数）の第１照明器具２０ａ〜２０ｃを含む。複数の照明器具２０は、第２環境センサ４２に対応付けられた１以上の第１照明器具２０ａ〜２０ｃとは別の１以上（本実施形態では、複数）の第２照明器具２０ｄ〜２０ｆを含む。
【００４５】
（１−２−３）制御装置
制御装置３０は、照明器具２０の制御を行う。特に、制御装置３０は、トンネル１００の周囲の環境に関する環境情報に基づいて複数の照明器具２０を制御する。制御装置３０は、環境情報を、環境検出部４０から取得する。本実施形態では、制御装置３０は、環境検出部４０から、第１環境情報及び第２環境情報を取得する。
【００４６】
制御装置３０は、コンピュータシステムにより実現され得る。コンピュータシステムは、例えば、１以上の入出力インタフェース、１以上のメモリ、及び１以上のプロセッサ（マイクロプロセッサ）を含む。つまり、１以上のプロセッサが１以上のメモリに記憶された１以上のプログラム（アプリケーション）を実行することで、制御装置３０として機能する。プログラムは、ここでは制御装置３０のメモリに予め記録されているが、インターネット等の電気通信回線を通じて、又はメモリカード等の非一時的な記録媒体に記録されて提供されてもよい。なお、入出力インタフェースは、制御装置３０への情報の入力、及び、制御装置３０からの情報の出力のためのインタフェースであり、通信インタフェースや、ヒューマンインタフェースを含む。
【００４７】
制御装置３０は、調光部３１と、調色部３２とを備える。図２において、調光部３１と、調色部３２とは実体のある構成を示しているわけではなく、制御装置３０によって実現される機能を示している。
【００４８】
調光部３１は、複数の照明器具２０から出力される光の強度を制御する。特に、調光部３１は、環境情報（第１環境情報及び第２環境情報）に基づいて複数の照明器具２０を制御する。調光部３１は、環境情報に基づいて、光源部２３の第１光源２３１と１以上の第２光源２３２（本実施形態では、２つの第２光源２３２ａ，２３２ｂ）との少なくとも一つの出力を調整することで複数の照明器具２０の各々の制御をする。上述したように、照明器具２０の光源ユニット２１では、シード光Ｐ２，Ｐ２１，Ｐ２２と励起光Ｐ１との少なくとも一方の強度の調整によって、照明光の強度の調整が可能である。よって、調光部３１は、シード光Ｐ２，Ｐ２１，Ｐ２２と励起光Ｐ１との少なくとも一方の強度の調整によって、照明光の強度を調整する。具体的には、調光部３１は、入出力インタフェースを介して、光源部２３の第１光源２３１及び第２光源２３２の駆動回路（第１及び第２駆動回路）に制御信号を与えて、第１光源２３１及び第２光源２３２のレーザ光源の出力を調整する。
【００４９】
調光部３１は、第１環境センサ４１からの環境情報（第１環境情報）に基づいて第１照明器具２０ａ〜２０ｃを制御し、第２環境センサ４２からの環境情報（第２環境情報）に基づいて第２照明器具２０ｄ〜２０ｆを制御する。
【００５０】
調光部３１は、環境情報に基づいて、トンネル１００の内部１１０の明るさがトンネル１００の杭口から中央に向かって変化するように、複数の照明器具２０を制御する。特に、調光部３１は、トンネル１００の杭口での視認性が向上するように、複数の照明器具２０を制御する。本実施形態では、調光部３１は、環境情報に含まれる明るさ情報に基づいて、トンネル１００の内部１１０の明るさがトンネル１００の杭口から中央に向かって変化するように、複数の照明器具２０から出力される光の強度を制御する。
【００５１】
調光部３１は、第１環境情報に含まれる明るさ情報に基づいて、トンネル１００の内部１１０の明るさがトンネル１００の入口１２０から中央に向かって変化するように、照明器具２０ａ〜２０ｃから出力される光の強度（輝度）を制御する。調光部３１は、トンネル１００の入口１２０の明るさに基づいて、トンネル１００の入口１２０においてトンネル１００の内部１１０と外部とで明るさの急激な変化があるかどうかを判定する。調光部３１は、トンネル１００の入口１２０の明るさが第１閾値未満であれば、トンネル１００の入口１２０においてトンネル１００の内部１１０と外部とで明るさの急激な変化がないと判定する。この場合、調光部３１は、照明器具２０ａ〜２０ｃから出力される光の強度を第１基準値に調整する。例えば、第１閾値は、昼間のトンネル１００の入口１２０近傍の明るさと夜間のトンネル１００の入口１２０近傍の明るさとを区別可能な値である。第１基準値は、トンネル１００内を走行する自動車３００の運転者が前方の障害物を安全な距離から視認するために必要な明るさに対応する。調光部３１は、トンネル１００の入口１２０の明るさが第１閾値以上であれば、トンネル１００の入口１２０においてトンネル１００の内部１１０と外部とで明るさの急激な変化があると判定する。この場合、調光部３１は、トンネル１００の内部１１０の明るさがトンネル１００の杭口（入口１２０）から中央に向かって変化するように、照明器具２０ａ〜２０ｃから出力される光の強度を制御する。より詳細には、調光部３１は、トンネル１００の中央から入口１２０に向かってトンネル１００の内部１１０が明るくなるように、照明器具２０ａ〜２０ｃから出力される光の強度を調整する。具体的には、調光部３１は、照明器具２０ａから出力される光の強度を第１基準値より大きい第１値にする。これは、トンネル１００の入口１２０において、運転者がトンネル１００に接近する際に生じる急激な輝度の変化と、進入直後から起きる眼の順応の遅れを緩和するためである。調光部３１は、照明器具２０ｃから出力される光の強度を第１基準値にする。調光部３１は、照明器具２０ｂから出力される光の強度を第１基準値と第１値との間の第２値にする。つまり、照明器具２０ｂから出力される光を、照明器具２０ａから出力される光と照明器具２０ｃから出力される光の間の強度に設定する。これは、光の強度の急激な変化を緩和するためである。このように、調光部３１は、トンネル１００の内部１１０の明るさがトンネル１００の中央から入口１２０に向かって増加するように、照明器具２０ａ〜２０ｃを制御する。これによって、ブラックホール現象の影響を低減できる。そのため、トンネル１００の内部１１０への移動時の人の視認性の低下を軽減できる。
【００５２】
調光部３１は、第２環境情報に含まれる明るさ情報に基づいて、トンネル１００の内部１１０の明るさがトンネル１００の出口１３０から中央に向かって変化するように、照明器具２０ｄ〜２０ｆから出力される光の強度（輝度）を制御する。調光部３１は、トンネル１００の出口１３０の明るさに基づいて、トンネル１００の出口１３０においてトンネル１００の内部１１０と外部とで明るさの急激な変化があるかどうかを判定する。調光部３１は、トンネル１００の出口１３０の明るさが第２閾値未満であれば、トンネル１００の出口１３０においてトンネル１００の内部１１０と外部とで明るさの急激な変化がないと判定する。この場合、調光部３１は、照明器具２０ｄ〜２０ｆから出力される光の強度を第２基準値に調整する。例えば、第２閾値は、昼間のトンネル１００の出口１３０近傍の明るさと夜間のトンネル１００の出口１３０近傍の明るさとを区別可能な値である。第２基準値は、トンネル１００を走行する運転者が前方の障害物を安全な距離から視認するために必要な明るさに対応する。第２基準値は第１基準値と同じであってよい。調光部３１は、トンネル１００の出口１３０の明るさが第２閾値以上であれば、トンネル１００の出口１３０においてトンネル１００の内部１１０と外部とで明るさの急激な変化があると判定する。この場合、調光部３１は、トンネル１００の内部１１０の明るさがトンネル１００の杭口（出口１３０）から中央に向かって変化するように、照明器具２０ｄ〜２０ｆから出力される光の強度を制御する。より詳細には、調光部３１は、トンネル１００の中央から出口１３０に向かってトンネル１００の内部１１０が明るくなるように、照明器具２０ｄ〜２０ｆから出力される光の強度を調整する。具体的には、調光部３１は、照明器具２０ｆから出力される光の強度を第２基準値より大きい第３値にする。これは、トンネル１００の出口１３０において、出口１３０の手前付近にある障害物や先行車の見え方を改善するためである。調光部３１は、照明器具２０ｄから出力される光の強度を第２基準値にする。調光部３１は、照明器具２０ｅから出力される光の強度を第２基準値と第３値との間の第４値にする。つまり、照明器具２０ｅから出力される光を、照明器具２０ｄから出力される光と照明器具２０ｆから出力される光の間の強度に設定する。これは、光の強度の急激な変化を緩和するためである。このように、調光部３１は、トンネル１００の内部１１０の明るさがトンネル１００の中央から出口１３０に向かって増加するように、照明器具２０ｄ〜２０ｆを制御する。これによって、ホワイトホール現象の影響を低減できる。そのため、トンネル１００の外部への移動時の人の視認性の低下を軽減できる。
【００５３】
調色部３２は、複数の照明器具２０から出力される光の色（色度）を制御する。特に、調色部３２は、環境情報（第１環境情報及び第２環境情報）に基づいて複数の照明器具２０を制御する。調色部３２は、環境情報に基づいて、光源部２３の第１光源２３１と１以上の第２光源２３２（本実施形態では、２つの第２光源２３２ａ，２３２ｂ）との少なくとも一つの出力を調整することで複数の照明器具２０の各々の制御をする。上述したように、照明器具２０の光源ユニット２１では、シード光Ｐ２，Ｐ２１，Ｐ２２と励起光Ｐ１との少なくとも一方の強度の調整によって、照明光の色（色度）の調整が可能である。よって、調色部３２は、シード光Ｐ２，Ｐ２１，Ｐ２２と励起光Ｐ１との少なくとも一方の強度の調整によって、照明光の色を調整する。具体的には、調色部３２は、入出力インタフェースを介して、光源部２３の第１光源２３１及び第２光源２３２の駆動回路（第１及び第２駆動回路）に制御信号を与えて、第１光源２３１及び第２光源２３２のレーザ光源の出力を調整する。
【００５４】
調色部３２は、第１環境センサ４１からの環境情報（第１環境情報）に基づいて第１照明器具２０ａ〜２０ｃを制御し、第２環境センサ４２からの環境情報（第２環境情報）に基づいて第２照明器具２０ｄ〜２０ｆを制御する。
【００５５】
調色部３２は、環境情報に基づいて、トンネル１００の内部１１０の色（色度）がトンネル１００の杭口から中央に向かって変化するように、複数の照明器具２０を制御する。特に、調色部３２は、トンネル１００の杭口での視認性が向上するように、複数の照明器具２０を制御する。本実施形態では、調色部３２は、環境情報に含まれる色度情報に基づいて、トンネル１００の内部１１０の色度がトンネル１００の杭口から中央に向かって変化するように、複数の照明器具２０から出力される光の色を制御する。
【００５６】
調色部３２は、第１環境情報に含まれる色度情報に基づいて、トンネル１００の内部１１０の色（色度）がトンネル１００の杭口（入口１２０）から中央に向かって変化するように、照明器具２０ａ〜２０ｃから出力される光の色（色度）を制御する。より詳細には、調色部３２は、トンネル１００の入口１２０での色度とトンネル１００の外部の色度との差が小さくなるように複数の照明器具２０から出力される光の色を調整する。更に、調色部３２は、トンネル１００の入口１２０からトンネル１００の中央に向かってトンネル１００の内部１１０の色度が基準色度になるように、複数の照明器具２０から出力される光の色を調整する。これによって、トンネル１００の入口１２０での色度の差に起因する違和感を低減できる。例えば、基準色度は白色に対応する。具体的には、調色部３２は、照明器具２０ａから出力される光の色度を、トンネル１００の入口１２０での色度（例えば、オレンジ色）にする。調色部３２は、照明器具２０ｃから出力される光の色度を基準色度（例えば、白色）にする。調色部３２は、照明器具２０ｂから出力される光を、照明器具２０ａから出力される光と照明器具２０ｃから出力される光の間の色度に設定する。これは、光の色の急激な変化を緩和するためである。
【００５７】
調色部３２は、第２環境情報に含まれる色度情報に基づいて、トンネル１００の内部１１０の色（色度）がトンネル１００の杭口（出口１３０）から中央に向かって変化するように、照明器具２０ｄ〜２０ｆから出力される光の色（色度）を制御する。より詳細には、調色部３２は、トンネル１００の出口１３０での色度とトンネル１００の外部の色度との差が小さくなるように、複数の照明器具２０から出力される光の色を調整する。更に、調色部３２は、トンネル１００の出口１３０からトンネル１００の中央に向かってトンネル１００の内部１１０の色度が基準色度になるように、複数の照明器具２０から出力される光の色を調整する。これによって、トンネル１００の出口１３０での色度の差に起因する違和感を低減できる。具体的には、調色部３２は、照明器具２０ｆから出力される光の色度を、トンネル１００の出口１３０での色度（例えば、オレンジ色）にする。調色部３２は、照明器具２０ｄから出力される光の色度を基準色度（例えば、白色）にする。調色部３２は、照明器具２０ｅから出力される光を、照明器具２０ｄから出力される光と照明器具２０ｆから出力される光の間の色度に設定する。これは、光の色の急激な変化を緩和するためである。
【００５８】
調色部３２は、第１環境情報に含まれる気象情報に基づいて、トンネル１００の内部１１０の色度がトンネル１００の入口１２０から中央に向かって変化するように、照明器具２０ａ〜２０ｃから出力される光の色を制御する。本実施形態では、気象情報は、視程で表される。調色部３２は、トンネル１００の入口１２０での視程に基づいて、トンネル１００の入口１２０の周囲で雪、雨、霧、煙等の影響で視程が低下しているかどうかを判定する。調色部３２は、トンネル１００の入口１２０での視程が第３閾値以上であれば、トンネル１００の入口１２０の周囲で雪、雨、霧、煙等の影響がないと判定する。この場合、調色部３２は、照明器具２０ａ〜２０ｃから出力される光の色を第１色温度に調整する。第１色温度は、比較的色温度が高い光である。第１色温度は、例えば、昼白色（例えば、色温度で５０００Ｋ）である。調色部３２は、トンネル１００の入口１２０での視程が第３閾値未満であれば、トンネル１００の入口１２０の周囲で雪、雨、霧、煙等の影響があると判定する。調色部３２は、トンネル１００の入口１２０での視認性が向上するように、照明器具２０ａ〜２０ｃから出力される光の色（特に色温度）を調整する。具体的には、調色部３２は、照明器具２０ａから出力される光の色を第１色温度より低い第２色温度にする。第２色温度は、比較的色温度が低い光である。第２色温度は、例えば、橙白色（例えば、色温度で２１００Ｋ）である。これは、色温度の低い光のほうが、色温度の高い光よりも、雪、雨、霧、煙等の影響下でも視認性を確保できるからである。調色部３２は、照明器具２０ｃから出力される光の色を第１色温度にする。これは、トンネル１００の中央では、入口１２０とは異なり、雪、雨、霧、煙等の影響を受けにくく、色温度の高い光のほうが、色温度の低い光よりも、視認性を確保できるからである。調色部３２は、照明器具２０ｂから出力される光の色を第３色温度にする。第３色温度は、第１色温度と第２色温度との間の色である。第３色温度は、例えば、温白色（例えば、色温度で３５００Ｋ）である。つまり、照明器具２０ｂから出力される光を、照明器具２０ａから出力される光と照明器具２０ｃから出力される光の間の色温度に設定する。これは、色温度の急激な変化を緩和するためである。このように、調色部３２は、トンネル１００の内部１１０の色温度がトンネル１００の入口１２０から中央に向かって増加するように、照明器具２０ａ〜２０ｃを制御する。これによって、トンネル１００の内部１１０への移動時の人の視認性の低下を軽減できる。
【００５９】
調色部３２は、第２環境情報に含まれる気象情報に基づいて、トンネル１００の内部１１０の色度がトンネル１００の出口１３０から中央に向かって変化するように、照明器具２０ｄ〜２０ｆから出力される光の色を制御する。調色部３２は、トンネル１００の出口１３０での視程に基づいて、トンネル１００の出口１３０の周囲で雪、雨、霧、煙等の影響で視程が低下しているかどうかを判定する。調色部３２は、トンネル１００の出口１３０での視程が第４閾値以上であれば、トンネル１００の出口１３０の周囲で雪、雨、霧、煙等の影響がないと判定する。この場合、調色部３２は、照明器具２０ｄ〜２０ｆから出力される光の色を第１色温度に調整する。調色部３２は、トンネル１００の出口１３０での視程が第４閾値未満であれば、トンネル１００の出口１３０の周囲で雪、雨、霧、煙等の影響があると判定する。調色部３２は、トンネル１００の出口１３０での視認性が向上するように、照明器具２０ｆから出力される光の色を第２色温度に調整する。調色部３２は、照明器具２０ｄから出力される光の色を第１色温度にする。調色部３２は、照明器具２０ｅから出力される光の色を第３色温度にする。このように、調色部３２は、トンネル１００の内部１１０の色温度がトンネル１００の出口１３０から中央に向かって増加するように、照明器具２０ｄ〜２０ｆを制御する。これによって、トンネル１００の外部への移動時の人の視認性の低下を軽減できる。
【００６０】
以上述べたように、制御装置３０は、環境情報に基づいて、トンネル１００の内部１１０の明るさと色度との少なくとも一方がトンネル１００の外部から中央に向かって変化するように、複数の照明器具２０を制御する。特に、制御装置３０は、トンネル１００の杭口での視認性が向上するように、複数の照明器具２０を制御する。
【００６１】
（１−３）まとめ
以上述べたように、照明システム１０は、トンネル１００に設置されトンネル１００の内部１１０を照らす複数の照明器具２０と、複数の照明器具２０を制御する制御装置３０と、を備える。複数の照明器具２０の少なくとも一つは、光源部２３と、光ファイバ２４と、を含む。光ファイバ２４は、励起光Ｐ１によって励起され励起光Ｐ１よりも長波長の自然放出光を発生可能であり、かつ、自然放射増幅光によって励起可能な波長変換要素を含む波長変換部２４ｃを有する。光源部２３は、第１光源２３１と、１以上の第２光源２３２（２３２ａ，２３２ｂ）と、を有する。第１光源２３１は、励起光Ｐ１を光ファイバ２４に入射させる。１以上の第２光源２３２（２３２ａ，２３２ｂ）は、励起光Ｐ１あるいは自然放射増幅光によって励起された波長変換要素から誘導放出光を発生させるためのシード光Ｐ２（Ｐ２１，Ｐ２２）を、光ファイバ２４に入射させる。この照明システム１０によれば、照明器具２０の軽量化及びメンテナンス性の向上が図れる。
【００６２】
別の観点からすれば、照明システム１０は、以下の構成を有する。つまり、照明システム１０は、トンネル１００に設置されトンネル１００の内部１１０を照らす複数の照明器具２０と、複数の照明器具２０を制御する制御装置３０と、を備える。複数の照明器具２０の少なくとも一つは、光源部２３と、光ファイバ２４と、を含む。光ファイバ２４は、光ファイバ２４に入射した光の少なくとも一部の波長を変換する波長変換要素を含む波長変換部２４ｃを有する。光源部２３は、第１光Ｐ１を光ファイバ２４に入射させる第１光源２３１と、第１光Ｐ１と波長が異なる第２光Ｐ２（Ｐ２１，Ｐ２２）を光ファイバ２４に入射させる１以上の第２光源２３２（２３２ａ，２３２ｂ）と、を有する。この照明システム１０によれば、照明器具２０の軽量化及びメンテナンス性の向上が図れる。
【００６３】
（２）変形例
本開示の実施形態は、上記実施形態に限定されない。上記実施形態は、本開示の課題を達成できれば、設計等に応じて種々の変更が可能である。以下に、上記実施形態の変形例を列挙する。以下に説明する変形例は、適宜組み合わせて適用可能である。
【００６４】
図８は、一変形例の照明システムの照明器具２０Ａを示す。照明器具２０Ａは、光源ユニット２１Ａと、複数の光照射部２２（図８では、４つの光照射部２２ａ〜２２ｄ）と、を含む。光源ユニット２１Ａは、光源部２３と、複数の光ファイバ２４（図８では６つの光ファイバ２４Ａ〜２４Ｆ）とを含む。複数の光照射部２２は、複数の光ファイバ２４からの光でトンネル１００の内部１１０を照らす。
【００６５】
照明器具２０Ａでは、光源部２３からの光が、６つの光ファイバ２４Ａ〜２４Ｆそれぞれの入射部２４ａに入射する。光ファイバ２４Ａの出射部２４ｂからの光は、光照射部２２ａに入射する。光ファイバ２４Ｂの出射部２４ｂからの光は、光照射部２２ｂに入射する。光ファイバ２４Ｃの出射部２４ｂからの光は、光照射部２２ｂに入射する。光ファイバ２４Ｄの出射部２４ｂからの光は、光照射部２２ｃに入射する。光ファイバ２４Ｅの出射部２４ｂからの光は、光照射部２２ｄに入射する。光ファイバ２４Ｆの出射部２４ｂからの光は、光照射部２２ｄに入射する。つまり、光照射部２２ａ，２２ｃは各々一つの光ファイバ２４から光を受け、光照射部２２ｂ，２２ｄは各々２つの光ファイバ２４から光を受ける。６つの光ファイバ２４Ａ〜２４Ｆは、いずれも同じ構造である。よって、光照射部２２ｂ，２２ｄに入射する光の量は、光照射部２２ａ，２２ｃに入射する光の量の２倍になる。
【００６６】
このように、照明器具２０Ａでは、複数の光照射部２２（２２ａ〜２２ｄ）の各々には、複数の光ファイバ２４（２４Ａ〜２４Ｆ）からの光の総量に対して光照射部２２が受け取る光の量の比率が設定される。比率は、複数の光ファイバ２４の数の比率で決定される。光照射部２２ａ，２２ｃの比率は、１／６であり、光照射部２２ｂ，２２ｄの比率は、１／３である。このように、複数の光照射部２２ａ〜２２ｄは、比率が異なる２つの光照射部２２ａ（２２ｃ），２２ｂ（２２ｄ）を含む。この照明器具２０Ａでは、光照射部２２の明るさの設定が容易になる。特に、光ファイバ２４の数で容易に比率の設定ができるから、光照射部２２の明るさの設定が更に容易になる。
【００６７】
複数の光照射部２２の比率は、上記の数値に限定されず、適宜設定されてよい。複数の光照射部２２は、比率が異なる３以上の光照射部２２を含んでよい。複数の光照射部２２は、比率が同じ２以上の光照射部２２を含んでよい。比率は、複数の光ファイバ２４の数の比率の他、光ファイバ２４の断面積によっても決定され得る。
【００６８】
一変形例では、照明システム１０の複数の照明器具２０の全てが光ファイバ２４を含んでいる必要はない。複数の照明器具２０の少なくとも一つが光ファイバ２４を含んでいてよい。つまり、複数の照明器具２０は、光ファイバ２４を含まない１以上の照明器具を含み得る。照明システム１０は、１以上の照明器具２０と、１以上の照明器具２０Ａとを備えてよい。
【００６９】
照明システム１０において、照明器具２０の数、及び、制御装置３０の数は特に限定されない。また、照明器具２０と制御装置３０とは多対一に対応付けられていなくてよく、複数の照明器具２０を複数の制御装置３０が制御してよい。
【００７０】
一変形例では、照明器具２０は、光ファイバ２４からの光Ｌ１を光照射部２２に導く導光体を更に有していてよい。これによって、光源ユニット２１を光照射部２２から離れた位置に配置しやすくなる。照明器具２０は、励起光Ｐ１及びシード光Ｐ２を光ファイバ２４の入射部２４ａへ入射するための光結合部を更に備えていてもよい。光結合部は、グレーティングであってよいが、これに限らない。グレーティングは、透過型の回折格子である。グレーティングの材料は、例えば、石英であってよいが、これに限らない。照明器具２０は、必ずしも、光ファイバ２４が波長変換部２４ｃを備える必要はなく、光ファイバ２４を備える必要はない。
【００７１】
一変形例では、制御装置３０は、必ずしも調光部３１と調色部３２との両方を含んでいる必要はない。制御装置３０は、調光部３１と、調色部３２との少なくとも一方を有していればよい。上記実施形態では、制御装置３０（調光部３１及び調色部３２）は、励起光Ｐ１の強度と、複数のシード光Ｐ２それぞれの強度を調整する。一変形例では、制御装置３０（調光部３１及び調色部３２）は、励起光Ｐ１とシード光Ｐ２との少なくとも一方の強度の調整によって、照明光の強度及び色を調整してよい。第１光源２３１又は第２光源２３２からの光の強度の調整は、第１光源２３１又は第２光源２３２自体の制御によって実施されてもよいし、光源部２３と光ファイバ２４との間に配置した液晶フィルタやマイクロミラーアレイ等を利用して実施されてもよい。
【００７２】
一変形例では、環境検出部４０は、トンネル１００の周囲の環境を検出する１以上の環境センサを含んでいればよい。つまり、第１環境センサ４１と第２環境センサ４２とを両方含むことは必須ではない。環境検出部４０は、外部装置から環境情報を取得してもよい。外部装置は、トンネル１００近傍の自動車や、情報端末（携帯端末等）を含んでよい。
【００７３】
一変形例では、環境情報は、明るさ情報と、色度情報と、気象情報との少なくとも一つを含んでいればよい。環境情報は、明るさ情報、色度情報、及び気象情報に限定されない。環境情報は、トンネル１００の周囲の交通に関する交通情報、トンネル１００の周囲の時刻に関する時刻情報、トンネル１００の周囲の温度に関する温度情報、及び、トンネル１００の周囲の防犯に関する防犯情報を含み得る。交通情報は、交通量、渋滞・停滞の発生、道路規制、交通事故に関する情報を含み得る。一例として、交通量が少なければ、照明器具２０の光の強度を低下させてよい。時刻情報は、トンネル１００が属するタイムゾーンにおける時刻を想定している。一例として、時刻に応じて、照明器具２０の光の強度や色を変更してよい。温度情報は、トンネル１００の内部１１０や、トンネル１００のある場所の温度を想定している。一例として、トンネル１００の内部１１０の温度に応じて、照明器具２０の光の強度や色を変更してよい。防犯情報は、トンネル１００がある場所に関する犯罪率を含み得る。一例として、犯罪率が高ければ、照明器具２０の光の強度を高くしたり、照明器具２０の光の色を青等の鎮静効果の期待できる色に変更したりしてよい。
【００７４】
一変形例では、環境情報が複数の要素（明るさ情報と、色度情報と、気象情報等）を含む場合、複数の要素には優先順位があってよい。例えば、制御装置３０は、明るさ情報による制御を、色度情報による制御よりも優先して実行してよい。
【００７５】
本開示における照明システム１０（特に制御装置３０）は、例えば、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における照明システム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００７６】
また、照明システム１０（特に制御装置３０）における複数の機能が、１つの筐体内に集約されていることは照明システム１０に必須の構成ではなく、照明システム１０の構成要素は、複数の筐体に分散して設けられていてもよい。さらに、照明システム１０の少なくとも一部の機能、例えば、制御装置３０の一部の機能がクラウド（クラウドコンピューティング）等によって実現されてもよい。
【００７７】
上記実施形態では、トンネル１００が道路のトンネルである場合について説明した。しかしながら、トンネル１００は、道路のトンネルに限定されない。トンネル１００は、鉄道（線路）のトンネルであってもよいし、水路のトンネルであってもよい。トンネル１００は、２地点間の交通と物資の輸送あるいは貯留などを目的とし、建設される地下の空間であってよい。
【００７８】
（３）態様
上記実施形態及び変形例から明らかなように、本開示は、下記の態様を含む。以下では、実施形態との対応関係を明示するためだけに、符号を括弧付きで付している。
【００７９】
第１の態様は、照明システム（１０）であって、トンネル（１００）に設置され、前記トンネル（１００）の内部（１１０）を照らす複数の照明器具（２０；２０Ａ）と、前記複数の照明器具（２０；２０Ａ）を制御する制御装置（３０）と、を備える。前記複数の照明器具（２０；２０Ａ）の少なくとも一つは、光源部（２３）と、光ファイバ（２４；２４Ａ〜２４Ｆ）と、を含む。前記光ファイバ（２４；２４Ａ〜２４Ｆ）は、励起光（Ｐ１）によって励起され前記励起光（Ｐ１）よりも長波長の自然放出光を発生可能であり、かつ、自然放射増幅光によって励起可能な波長変換要素を含む波長変換部（２４ｃ）を有する。前記光源部（２３）は、第１光源（２３１）と、１以上の第２光源（２３２，２３２ａ，２３２ｂ）と、を有する。前記第１光源（２３１）は、前記励起光（Ｐ１）を前記光ファイバ（２４；２４Ａ〜２４Ｆ）に入射させる。前記１以上の第２光源（２３２，２３２ａ，２３２ｂ）は、シード光（Ｐ２，Ｐ２１，Ｐ２２）を、前記光ファイバ（２４；２４Ａ〜２４Ｆ）に入射させる。前記シード光（Ｐ２，Ｐ２１，Ｐ２２）は、前記励起光（Ｐ１）あるいは前記自然放射増幅光によって励起された前記波長変換要素から誘導放出光を発生させるための光である。この態様によれば、照明器具（２０；２０Ａ）の軽量化及びメンテナンス性の向上が図れる。
【００８０】
第２の態様は、第１の態様に基づく照明システム（１０）である。第２の態様では、前記制御装置（３０）は、前記複数の照明器具（２０；２０Ａ）から出力される光の強度を制御する調光部（３１）と、前記複数の照明器具（２０；２０Ａ）から出力される光の色を制御する調色部（３２）と、の少なくとも一方を有する。この態様によれば、照明器具（２０；２０Ａ）の調色及び調光が可能となる。
【００８１】
第３の態様は、第１又は第２の態様に基づく照明システム（１０）である。第３の態様では、前記制御装置（３０）は、前記トンネル（１００）の周囲の環境に関する環境情報に基づいて前記複数の照明器具（２０；２０Ａ）を制御する。この態様によれば、トンネル（１００）の周囲の環境に応じた照明器具（２０；２０Ａ）の制御が可能となる。
【００８２】
第４の態様は、第３の態様に基づく照明システム（１０）である。第４の態様では、前記環境情報は、前記トンネル（１００）の周囲の環境を検出する１以上の環境センサ（４１，４２）を含む環境検出部（４０）から得られる。この態様によれば、トンネル（１００）の周囲の環境に応じた照明器具（２０；２０Ａ）の制御が可能となる。
【００８３】
第５の態様は、第４の態様に基づく照明システム（１０）である。第５の態様では、前記環境検出部（４０）は、第１環境センサ（４１）と、第２環境センサ（４２）と、の少なくとも一方を含む。前記第１環境センサ（４１）は、前記トンネル（１００）の外部に設置されて前記トンネル（１００）の入口（１２０）の周囲の環境を検出する。前記第２環境センサ（４２）は、前記トンネル（１００）の外部に設置されて前記トンネル（１００）の出口（１３０）の周囲の環境を検出する。この態様によれば、トンネル（１００）の入口（１２０）及び出口（１３０）の周囲の環境に応じた照明器具（２０；２０Ａ）の制御が可能となる。
【００８４】
第６の態様は、第５の態様に基づく照明システム（１０）である。第６の態様では、前記環境検出部（４０）は、前記第１環境センサ（４１）と前記第２環境センサ（４２）とを含む。前記複数の照明器具（２０；２０Ａ）は、１以上の第１照明器具（２０ａ〜２０ｃ）と、前記１以上の第１照明器具（２０ａ〜２０ｃ）とは別の１以上の第２照明器具（２０ｄ〜２０ｆ）と、を含む。前記１以上の第１照明器具（２０ａ〜２０ｃ）は、前記第１環境センサ（４１）に対応付けられる。前記１以上の第２照明器具（２０ｄ〜２０ｆ）は、前記第２環境センサ（４２）に対応付けられる。前記制御装置（３０）は、前記第１環境センサ（４１）からの環境情報に基づいて前記１以上の第１照明器具（２０ａ〜２０ｃ）を制御し、前記第２環境センサ（４２）からの環境情報に基づいて前記１以上の第２照明器具（２０ｄ〜２０ｆ）を制御する。この態様によれば、トンネル（１００）の入口（１２０）及び出口（１３０）の周囲の環境に応じて照明器具（２０；２０Ａ）の独立した制御が可能となる。
【００８５】
第７の態様は、第３〜第６の態様のいずれか一つに基づく照明システム（１０）である。第７の態様では、前記環境情報は、明るさ情報と、色度情報と、気象情報との少なくとも一つを含む。前記明るさ情報は、前記トンネル（１００）の周囲の明るさに関する情報である。前記色度情報は、前記トンネル（１００）の周囲の色度に関する情報である。前記気象情報は、前記トンネル（１００）の周囲の気象に関する情報である。この態様によれば、トンネル（１００）の周囲の環境に応じた照明器具（２０；２０Ａ）の制御が可能となる。
【００８６】
第８の態様は、第７の態様に基づく照明システム（１０）である。第８の態様では、前記制御装置（３０）は、前記環境情報に基づいて、前記光源部（２３）の前記第１光源（２３１）と前記１以上の第２光源（２３２，２３２ａ，２３２ｂ）との少なくとも一つの出力を調整することで前記複数の照明器具（２０；２０Ａ）の制御をする。この態様によれば、照明器具（２０；２０Ａ）の制御が容易になる。
【００８７】
第９の態様は、第７又は第８の態様に基づく照明システム（１０）である。第９の態様では、前記制御装置（３０）は、前記環境情報に基づいて、前記トンネル（１００）の内部（１１０）の明るさと色度との少なくとも一方が前記トンネル（１００）の杭口（１２０，１３０）から中央に向かって変化するように、前記複数の照明器具（２０；２０Ａ）を制御する。この態様によれば、トンネル（１００）の内部（１１０）をトンネル（１００）の周囲の環境に応じた状態にできる。
【００８８】
第１０の態様は、第９の態様に基づく照明システム（１０）である。第１０の態様では、前記制御装置（３０）は、前記トンネル（１００）の杭口（１２０，１３０）での視認性が向上するように、前記複数の照明器具（２０；２０Ａ）を制御する。この態様によれば、トンネル（１００）の内外の移動時の人の視認性の低下を軽減できる。
【００８９】
第１１の態様は、第１〜第１０の態様のいずれか一つに基づく照明システム（１０）である。第１１の態様では、前記光源部（２３）は、前記トンネル（１００）の内部（１１０）に露出しないように前記トンネル（１００）に設置される。この態様によれば、光源部（２３）のメンテナンス性の向上が図れる。
【００９０】
第１２の態様は、第１〜第１１の態様のいずれか一つに基づく照明システム（１０）である。第１２の態様では、前記複数の照明器具（２０；２０Ａ）の少なくとも一つは、前記光源部（２３）と、複数の前記光ファイバ（２４；２４Ａ〜２４Ｆ）と、複数の光照射部（２２；２２ａ〜２２ｄ）と、を含む。前記複数の光照射部（２２；２２ａ〜２２ｄ）は、前記複数の光ファイバ（２４；２４Ａ〜２４Ｆ）からの光で前記トンネル（１００）の内部（１１０）を照らす。この態様によれば、一つの光源部（２３）から複数の光をトンネル（１００）の内部（１１０）に照射できる。
【００９１】
第１３の態様は、第１２の態様に基づく照明システム（１０）である。第１３の態様では、前記複数の光照射部（２２；２２ａ〜２２ｄ）の各々には、前記複数の光ファイバ（２４；２４Ａ〜２４Ｆ）からの光の総量に対して光照射部（２２；２２ａ〜２２ｄ）が受け取る光の量の比率が設定される。前記複数の光照射部（２２；２２ａ〜２２ｄ）は、前記比率が異なる２以上の光照射部（２２；２２ａ〜２２ｄ）を含む。この態様によれば、光照射部（２２；２２ａ〜２２ｄ）の明るさの設定が容易になる。
【００９２】
第１４の態様は、第１３の態様に基づく照明システム（１０）である。第１４の態様では、前記比率は、前記複数の光ファイバ（２４；２４Ａ〜２４Ｆ）の数の比率で決定される。この態様によれば、光照射部（２２；２２ａ〜２２ｄ）の明るさの設定が容易になる。
【００９３】
第１５の態様は、照明システム（１０）であって、トンネル（１００）に設置され、前記トンネル（１００）の内部（１１０）を照らす複数の照明器具（２０；２０Ａ）と、前記複数の照明器具（２０；２０Ａ）を制御する制御装置（３０）と、を備える。前記複数の照明器具（２０；２０Ａ）の少なくとも一つは、光源部（２３）と、光ファイバ（２４；２４Ａ〜２４Ｆ）と、を含む。前記光ファイバ（２４；２４Ａ〜２４Ｆ）は、前記光ファイバ（２４；２４Ａ〜２４Ｆ）に入射した光の少なくとも一部の波長を変換する波長変換要素を含む波長変換部（２４ｃ）を有する。前記光源部（２３）は、第１光源（２３１）と、１以上の第２光源（２３２，２３２ａ，２３２ｂ）と、を有する。前記第１光源（２３１）は、第１光（Ｐ１）を前記光ファイバ（２４）に入射させる。前記１以上の第２光源（２３２，２３２ａ，２３２ｂ）は、前記第１光（Ｐ１）と波長が異なる第２光（Ｐ２，Ｐ２１，Ｐ２２）を前記光ファイバ（２４；２４Ａ〜２４Ｆ）に入射させる。この態様によれば、照明器具（２０；２０Ａ）の軽量化及びメンテナンス性の向上が図れる。
【００９４】
第１６の態様は、第１５の態様に基づく照明システム（１０）である。第１６の態様では、前記光ファイバ（２４；２４Ａ〜２４Ｆ）は、前記波長変換要素は、励起光（Ｐ１）によって励起され前記励起光（Ｐ１）よりも長波長の自然放出光を発生可能であり、かつ、自然放射増幅光によって励起可能である。前記第１光（Ｐ１）は、前記励起光である。前記第２光（Ｐ２，Ｐ２１，Ｐ２２）は、前記励起光（Ｐ１）あるいは前記自然放射増幅光によって励起された前記波長変換要素から誘導放出光を発生させるためのシード光である。この態様によれば、照明器具（２０；２０Ａ）の軽量化及びメンテナンス性の向上が図れる。
【００９５】
なお、第２〜第１４の態様は、第１５の態様にも適宜変更して適用することが可能である。
【符号の説明】
【００９６】
１０  照明システム
２０，２０Ａ  照明器具
２２，２２ａ〜２２ｄ  光照射部
２３  光源部
２３１  第１光源
２３２，２３２ａ，２３２ｂ  第２光源
２４，２４Ａ〜２４Ｆ  光ファイバ
２４ｃ  波長変換部
３１  調光部
３２  調色部
４０  環境検出部
４１  第１環境センサ
４２  第２環境センサ
１００  トンネル
１１０  内部
１２０  入口
１３０  出口
Ｐ１  励起光（第１光）
Ｐ２，Ｐ２１，Ｐ２２  シード光（第２光）
【図１】
2022002180.tif 000003
【図２】
2022002180.tif 000004
【図３】
2022002180.tif 000005
【図４】
2022002180.tif 000006
【図５】
2022002180.tif 000007
【図６】
2022002180.tif 000008
【図７】
2022002180.tif 000009
【図８】
2022002180.tif 000010